(57)【要約】 【課題】   予めスケジュールしたイベントと突発的なイベントとの両方を、イベントの管理に携わる全ての担当者が容易に把握できるようにする。【解決手段】   イベントの開始予定時刻及び終了予定時刻をスケジュールする操作が行われたことに基づき、スケジュールされたイベントの開始予定時刻から終了予定時刻までの時間範囲３１〜３４を、表示手段の画面に時間軸２２ｂに沿って表示させ、突発的なイベントの開始に対応した操作が行われたことに基づき、その操作が行われた時刻を起点として、その突発的なイベントの時間範囲３５を、その突発的なイベントの終了に対応する操作が行われるまで時間の経過につれて増大するようにして、同じ画面の同じ時間軸２２ｂに沿って表示させる。【選択図】  図１０
2006074287.tif 000002
【特許請求の範囲】
【請求項１】
イベントの開始予定時刻及び終了予定時刻をスケジュールするための第１の操作手段と、
突発的なイベントの開始及び終了に対応して操作するための第２の操作手段と、
前記第１の操作手段でスケジュールされたイベントの前記開始予定時刻から前記終了予定時刻までの時間範囲を、表示手段の画面に時間軸に沿って表示させるとともに、突発的なイベントの開始に対応する前記第２の操作手段の操作時刻を起点として、該突発的なイベントの時間範囲を、該突発的なイベントの終了に対応する前記第２の操作手段の操作が行われるまで時間の経過につれて増大するようにして、前記表示手段の前記画面に前記時間軸に沿って表示させる表示制御手段と
を備えたことを特徴とするイベントの管理装置。
【請求項２】
請求項１に記載のイベントの管理装置において、
前記第１の操作手段，前記第２の操作手段は、複数の系統の中からいずれかの１系統を選択して操作を行うものであり、
前記表示制御手段は、前記複数の系統についての表示欄を前記時間軸に沿って並列して配置するとともに、前記第１の操作手段，前記第２の操作手段で選択された系統についての前記表示欄に前記時間範囲を表示させる
ことを特徴とするイベントの管理装置。
【請求項３】
請求項１に記載のイベントの管理装置において、
前記イベントは、外部から供給されるデータの収録であることを特徴とするイベントの管理装置。
【請求項４】
イベントの開始予定時刻及び終了予定時刻をスケジュールする操作が行われたことに基づき、スケジュールされたイベントの前記開始予定時刻から前記終了予定時刻までの時間範囲を、表示手段の画面に時間軸に沿って表示させる第１のステップと、
突発的なイベントの開始に対応した操作が行われたことに基づき、該操作が行われた時刻を起点として、該突発的なイベントの時間範囲を、該突発的なイベントの終了に対応する操作が行われるまで時間の経過につれて増大するようにして、前記表示手段の前記画面に前記時間軸に沿って表示させる第２のステップと
を有することを特徴とするイベントの管理方法。
【請求項５】
請求項４に記載のイベントの管理方法において、
複数の系統についての表示欄を前記時間軸に沿って並列して配置するステップ
をさらに有し、
前記第１のステップ，前記第２のステップでは、それぞれ操作によって選択された系統についての前記表示欄に前記時間範囲を表示させる
ことを特徴とするイベントの管理方法。
【請求項６】
請求項５に記載のイベントの管理方法において、
前記イベントは、外部から供給されるデータの収録であることを特徴とするイベントの管理方法。
【請求項７】
コンピュータに、
イベントの開始予定時刻及び終了予定時刻をスケジュールする操作が行われたことに基づき、スケジュールされたイベントの前記開始予定時刻から前記終了予定時刻までの時間範囲を、表示手段の画面に時間軸に沿って表示させる第１のステップと、
突発的なイベントの開始に対応した操作が行われたことに基づき、該操作が行われた時刻を起点として、該突発的なイベントの時間範囲を、該突発的なイベントの終了に対応する操作が行われるまで時間の経過につれて増大するようにして、前記表示手段の前記画面に前記時間軸に沿って表示させる第２のステップと
を実行させるプログラムを記録したことを特徴とするコンピュータ読み取り可能な記録媒体。
【請求項８】
コンピュータに、
イベントの開始予定時刻及び終了予定時刻をスケジュールする操作が行われたことに基づき、スケジュールされたイベントの前記開始予定時刻から前記終了予定時刻までの時間範囲を、表示手段の画面に時間軸に沿って表示させる第１のステップと、
突発的なイベントの開始に対応した操作が行われたことに基づき、該操作が行われた時刻を起点として、該突発的なイベントの時間範囲を、該突発的なイベントの終了に対応する操作が行われるまで時間の経過につれて増大するようにして、前記表示手段の前記画面に前記時間軸に沿って表示させる第２のステップと
を実行させることを特徴とするプログラム。 
【発明の詳細な説明】
【技術分野】
【０００１】
本発明は、予めスケジュールしたイベントと突発的なイベントとを統一して管理するための装置及び方法等に関する。
【背景技術】
【０００２】
今日、テレビジョン放送局にはビデオサーバーを用いた収録・編集・送出システムが導入されているが、このシステムにおける素材（ビデオデータ等）の収録方法は、次の（ａ），（ｂ）の２つの方法に大別される（例えば、非特許文献１参照）。
【０００３】
（ａ）オペレータ（放送局内で素材の収録に携わる担当者）が予め収録の開始予定時刻及び終了予定時刻をスケジュールしておくことにより、その開始予定時刻から終了予定時刻まで自動的に収録を行う。
（ｂ）突発的に収録を行う必要が生じた場合に、オペレータのマニュアル操作によって収録を開始する。
【０００４】
【非特許文献１】「映像送出コントロールソフトウェアＢＺＳＲ２０００ V4.00 (クリップの作成)」、［online］、ソニー株式会社、［平成１６年８月２５日検索］、インターネット＜URL: http://www.sony.jp/products/Models/Professional/VSR/software1.html＞
【発明の開示】
【発明が解決しようとする課題】
【０００５】
従来のこうしたシステムでは、上記（ａ）の方法によってスケジュールした収録の開始予定時刻及び終了予定時刻は、画面に一覧表示されるので、全てのオペレータ（実際にそのスケジュールを行ったオペレータと、それ以外のオペレータ）が容易に把握することができる。しかし、上記（ｂ）の方法によって突発的に開始された収録が現在どのような状況にあるか（まだ収録が継続しているのか、既に収録が終了しているのか）を、実際にその収録を開始したオペレータ以外のオペレータが把握することは困難であった。
【０００６】
そのため、例えば（ｂ）の方法で素材Ａの収録が開始された後、別のオペレータが、その収録が終了するよりも前の時刻を開始予定時刻として（ａ）の方法で素材Ｂの収録をスケジュールしてしまうことにより、素材Ａの収録が素材Ｂの収録によって中断されてしまうという可能性があった。
【０００７】
本発明は、上述の点に鑑み、上記（ａ）の方法による収録イベントと上記（ｂ）の方法による収録イベントとのような、予めスケジュールしたイベントと突発的なイベントとの両方を、イベントの管理に携わる全ての担当者が容易に把握できるようにすることを課題としてなされたものである。
【課題を解決するための手段】
【０００８】
この課題を解決するために、本発明に係るイベントの管理装置は、イベントの開始予定時刻及び終了予定時刻をスケジュールするための第１の操作手段と、突発的なイベントの開始及び終了に対応して操作するための第２の操作手段と、第１の操作手段でスケジュールされたイベントの開始予定時刻から終了予定時刻までの時間範囲を、表示手段の画面に時間軸に沿って表示させるとともに、突発的なイベントの開始に対応する第２の操作手段の操作時刻を起点として、その突発的なイベントの時間範囲を、その突発的なイベントの開始に対応する第２の操作手段の操作時刻を起点として、その突発的なイベントの終了に対応する第２の操作手段の操作が行われるまで時間の経過につれて増大するようにして、この表示手段のこの画面にこの時間軸に沿って表示させる表示制御手段とを備えたことを特徴とする。
【０００９】
このイベントの管理装置には、予めイベントの開始予定時刻及び終了予定時刻をスケジュールするための第１の操作手段と、突発的なイベントの開始及び終了に対応して操作するための第２の操作手段とが設けられている。
【００１０】
そして、第１の操作手段でイベントをスケジュールすると、そのイベントの開始予定時刻から終了予定時刻までの時間範囲が、表示手段の画面に時間軸に沿って表示される。
【００１１】
また、突発的なイベントの開始に対応して第２の操作手段を操作すると、その突発的なイベントの時間範囲が、その操作時刻を起点として、その突発的なイベントの終了に対応する第２の操作手段の操作が行われるまで時間の経過につれて増大するようにして、同じ画面の同じ時間軸に沿って表示される。
【００１２】
したがって、この表示によって突発的なイベントの発生を知ることができるとともに、この時間範囲が増大し続けている間はその突発的なイベントがまだ継続していると判断することができ、この時間範囲が増大しなくなればその突発的なイベントが既に終了したと判断することができる。
【００１３】
このように、予めスケジュールしたイベントの時間範囲の静的な表示と、突発的なイベントの時間範囲の動的な表示とが、同じ画面の同じ時間軸に沿って行われる。これにより、予めスケジュールしたイベントと突発的なイベントとの両方を、イベントの管理に携わる全ての担当者が容易に視覚的に把握できるようになる。
【００１４】
なお、このイベントの管理装置において、一例として、第１の操作手段，第２の操作手段は、複数の系統の中からいずれかの１系統を選択して操作を行うものであり、表示制御手段は、これらの複数の系統についての表示欄を時間軸に沿って並列して配置するとともに、第１の操作手段，第２の操作手段で選択された系統についての表示欄に時間範囲を表示させることが好適である。
【００１５】
それにより、これらの複数の系統について、予めスケジュールしたイベントの時間範囲の静的な表示と、突発的なイベントの時間範囲の動的な表示とが、同じ画面の同じ時間軸に沿って行われる。したがって、或る系統で突発的なイベントが発生してまだ継続している場合に、容易に、その系統を避けて別の系統のほうでイベントをスケジュールすることができる。これにより、突発的なイベントとの調整を容易にとりながら、イベントをスケジュールできるようになる。
【００１６】
また、このイベントの管理装置で管理するイベントは、一例として、外部から供給されるデータの収録であることが好適である。それにより、予めスケジュールした収録イベントと突発的な収録イベントとの両方を全ての担当者が容易に視覚的に把握できるので、突発的なデータの収録が開始された後、別の担当者が、その収録が終了するよりも前の時刻を開始予定時刻として別の素材の収録をスケジュールしてしまう（突発的な素材の収録が別の素材の収録によって中断されてしまう）ような事態を防止できるようになる。
【００１７】
次に、本発明に係るイベントの管理方法は、イベントの開始予定時刻及び終了予定時刻をスケジュールする操作が行われたことに基づき、スケジュールされたイベントの開始予定時刻から終了予定時刻までの時間範囲を、表示手段の画面に時間軸に沿って表示させる第１のステップと、突発的なイベントの開始に対応した操作が行われたことに基づき、その操作が行われた時刻を起点として、その突発的なイベントの時間範囲を、その突発的なイベントの終了に対応する操作が行われるまで時間の経過につれて増大するようにして、この表示手段のこの画面にこの時間軸に沿って表示させる第２のステップとを有することを特徴とする。
【００１８】
また、本発明に係るコンピュータ読み取り可能な記録媒体は、コンピュータに、イベントの開始予定時刻及び終了予定時刻をスケジュールする操作が行われたことに基づき、スケジュールされたイベントの開始予定時刻から終了予定時刻までの時間範囲を、表示手段の画面に時間軸に沿って表示させる第１のステップと、突発的なイベントの開始に対応した操作が行われたことに基づき、その操作が行われた時刻を起点として、その突発的なイベントの時間範囲を、その突発的なイベントの終了に対応する操作が行われるまで時間の経過につれて増大するようにして、この表示手段のこの画面にこの時間軸に沿って表示させる第２のステップとを実行させるプログラムを記録したことを特徴とする。
【００１９】
また、本発明に係るプログラムは、コンピュータに、イベントの開始予定時刻及び終了予定時刻をスケジュールする操作が行われたことに基づき、スケジュールされたイベントの開始予定時刻から終了予定時刻までの時間範囲を、表示手段の画面に時間軸に沿って表示させる第１のステップと、突発的なイベントの開始に対応した操作が行われたことに基づき、その操作が行われた時刻を起点として、その突発的なイベントの時間範囲を、その突発的なイベントの終了に対応する操作が行われるまで時間の経過につれて増大するようにして、この表示手段のこの画面にこの時間軸に沿って表示させる第２のステップとを実行させることを特徴とする。
【００２０】
このイベントの管理方法，この記録媒体に記録されたプログラムを実行するコンピュータ及びこのプログラムを実行するコンピュータでは、イベントの開始予定時刻及び終了予定時刻をスケジュールする操作が行われると、そのスケジュールされたイベントの開始予定時刻から終了予定時刻までの時間範囲が、表示手段の画面に時間軸に沿って表示される。
【００２１】
また、突発的なイベントの開始に対応した操作が行われると、その操作が行われた時刻を起点として、その突発的なイベントの時間範囲が、その突発的なイベントの終了に対応する操作が行われるまで時間の経過につれて増大するようにして、同じ画面の同じ時間軸に沿って表示される。
【００２２】
したがって、この表示によって突発的なイベントの発生を知ることができるとともに、この時間範囲が増大し続けている間はその突発的なイベントがまだ継続していると判断することができ、この時間範囲が増大しなくなればその突発的なイベントが既に終了したと判断することができる。
【００２３】
このように、予めスケジュールしたイベントの時間範囲の静的な表示と、突発的なイベントの時間範囲の動的な表示とが、同じ画面の同じ時間軸に沿って行われる。これにより、予めスケジュールしたイベントと突発的なイベントとの両方を、イベントの管理に携わる全ての担当者が容易に視覚的に把握できるようになる。
【発明の効果】
【００２４】
本発明によれば、予めスケジュールしたイベントの時間範囲の静的な表示と、突発的なイベントの時間範囲の動的な表示とが、同じ画面の同じ時間軸に沿って行われるので、予めスケジュールしたイベントと突発的なイベントとの両方を、イベントの管理に携わる全ての担当者が容易に視覚的に把握できるという効果が得られる。
【００２５】
また、或る系統で突発的なイベントが発生してまだ継続している場合に、容易にその系統を避けて別の系統のほうでイベントをスケジュールできるので、突発的なイベントとの調整を容易にとりながらイベントをスケジュールできるという効果も得られる。
【００２６】
また、予めスケジュールした収録イベントと突発的な収録イベントとの両方を全ての担当者が容易に視覚的に把握できるので、突発的なデータの収録が開始された後、別の担当者が、その収録が終了するよりも前の時刻を開始予定時刻として別の素材の収録をスケジュールしてしまう（突発的な素材の収録が別の素材の収録によって中断されてしまう）ような事態を防止できるという効果も得られる。
【発明を実施するための最良の形態】
【００２７】
以下、本発明を図面を用いて具体的に説明する。なお、以下では、テレビジョン放送局における収録・編集・送出システムに本発明を適用した例について説明する。
【００２８】
図１は、本発明を適用した収録・編集・送出システムの全体構成を示すブロック図である。このシステムでは、管理端末１，データベース２，ＶＴＲ３，ルーティングスイッチャ４，編集端末５（１）〜５（３）及びルーティングスイッチャ９が、イーサネット６（イーサネット：ＥＴＨＥＲＮＥＴは登録商標）で互いに結ばれている。
【００２９】
また、管理端末１，ルーティングスイッチャ４，編集端末５（１）〜５（３），ビデオサーバー（高解像度用）７，ビデオサーバー（低解像度用）８及びルーティングスイッチャ９が、イーサスイッチ１０を介してギガビットイーサネット１１（太字の線の部分）で互いに結ばれている。
【００３０】
ルーティングスイッチャ４は、ＶＴＲ３や、他の放送局（図ではＡＩＲと表記）や、インターネットまたはイントラネットで接続された撮影現場のテレビジョンカメラ（図ではＬｉｎｅ１〜Ｌｉｎｅ３と表記）といった各入力ソースを、それぞれビデオサーバー７及び８の５系統の収録チャンネルｃｈ１〜ｃｈ５のうちの所望のチャンネルに接続させるための装置である。図示は省略するが、ルーティングスイッチャ４の出力側には、各収録チャンネルｃｈ１〜ｃｈ５毎に、入力ソースからのＳＤＩフォーマットのデータをイーサネットのフォーマットに変換する機器が設けられている。
【００３１】
編集端末５（１）〜５（３）は、ビデオサーバー８に収録した低解像度のビデオデータ（プロキシビデオデータ）を用いて素材の編集を行う端末である。
【００３２】
ルーティングスイッチャ９は、ビデオサーバー７の複数系統の送出チャンネルを、それぞれ放送局内の所望の送出サーバー等（図示略）に接続させるための装置である。図示は省略するが、ルーティングスイッチャ９の入力側にも、各送出チャンネル毎に、イーサネットのフォーマットのデータをＳＤＩフォーマットに変換する機器が設けられている。
【００３３】
管理端末１は、システム全体を制御して素材の収録・編集・送出を管理する端末であり、この管理を行うためのソフトウェアを実行するコンピュータ（例えばワークステーション）で構成されている。この管理用のソフトウェアは、ＣＤ−ＲＯＭのような記録媒体からインストールしたものである（但し、別の例として、ネットワーク経由でダウンロードしてインストールしてもよい）。データベース２は、管理端末１の操作によって作成された各種データを格納するために用いられる。
【００３４】
図２は、管理端末１のディスプレイに表示されるＧＵＩ画面のうち、素材の収録用の画面の構成を示す図である。この収録用ＧＵＩ画面には、ルーティングスイッチャウィンドウ２１，収録スケジューラウィンドウ２２，収録操作ウィンドウ２３及び素材リストウィンドウ（収録した素材ファイルがリスト表示される画面）２４が設けられる。これらのスケジューラウィンドウは、図示しないメニュー画面でのコマンドの選択により、１つずつ拡大して表示させることもできる。
【００３５】
ルーティングスイッチャウィンドウ２１は、前述の各入力ソース（図１のＶＴＲ３，ＡＩＲ，Ｌｉｎｅ１〜Ｌｉｎｅ３）と収録チャンネルｃｈ１〜ｃｈ５との接続操作を行うためのＧＵＩ画面である。図３は、このルーティングスイッチャウィンドウ２１の表示内容を示す。ルーティングスイッチャウィンドウ２１には、入力ソース欄２１ａ，接続操作欄２１ｂ，収録チャンネル欄２１ｃ及び入力ソース欄２１ｄが設けられている。
【００３６】
入力ソース欄２１ａには、各入力ソースの名称（ここではＶＴＲ，ＡＩＲ，Ｌｉｎｅ１〜Ｌｉｎｅ３）が表示される。収録チャンネル欄２１ｃには、ビデオサーバー７及び８の各収録チャンネルの名称（ｃｈ１〜ｃｈ５）が表示される。
【００３７】
接続操作欄２１ｂは、マウス操作によって入力ソース欄２１ａ中の入力ソースを収録チャンネル欄２１ｃ中の所望の収録チャンネルと接続するための欄であり、接続した入力ソースと収録チャンネルとを結ぶ線が表示される（図では、Ｌｉｎｅ２が収録チャンネルｃｈ１，ｃｈ２及びｃｈ４に接続され、ＶＴＲが収録チャンネルｃｈ３及びｃｈ５に接続されている）。
【００３８】
入力ソース欄２１ｄは、収録チャンネル欄２１ｃ中の各収録チャンネルと１対１に対応しており、当該収録チャンネルに接続した入力ソースの名称が表示される。
【００３９】
管理端末１は、このルーティングスイッチャウィンドウ２１での操作結果に基づき、ルーティングスイッチャ４（図１）を制御して、各入力ソースと収録チャンネルｃｈ１〜ｃｈ５とを接続させる。
【００４０】
図２の収録スケジューラウィンドウ２２は、予め素材の収録の開始予定時刻及び終了予定時刻をスケジュールする操作を行うとともに、収録イベントが表示されるＧＵＩ画面である。図４は、この収録スケジューラウィンドウ２２の表示内容を示す。収録スケジューラウィンドウ２２には、日付欄２２ａ，時間軸２２ｂ，イベント表示欄２２ｃ，収録ジョブ釦２２ｄが設けられている。
【００４１】
収録ジョブ釦２２ｄは、収録のスケジュール操作用の別ウィンドウ（収録ジョブウィンドウ）を開くための釦である。図５は、この釦２２ｄの操作によって開かれる収録ジョブウィンドウの表示内容を示す。この収録ジョブウィンドウ２５には、収録チャンネル選択欄２５ａ，開始予定日時選択欄２５ｂ，収録時間長入力欄２５ｃ及び周期的スケジュールチェック欄２５ｄが設けられている。
【００４２】
収録チャンネル選択欄２５ａは、収録チャンネルｃｈ１〜ｃｈ５のうち収録イベントをスケジュールしたいチャンネルをプルダウン方式で選択するための欄である。
【００４３】
開始予定日時選択欄２５ｂは、収録イベントの開始予定の年月日及び時刻をプルダウン方式で選択するための欄である。収録時間長入力欄２５ｃは、収録イベントの時間長を入力するための欄である。
【００４４】
周期的スケジュールチェック欄２５ｄは、同じ時間帯に周期的に（毎日，毎週または毎月同じ時刻に）収録をスケジュールしたい場合にチェックする欄である。この周期的スケジュールチェック欄２５ｄをチェックすると、図示は省略するが、開始予定の年月日や終了予定の年月日や周期性のパターン（毎日か毎週か毎月か）を選択するための別ウィンドウが開かれる。
【００４５】
また、図示は省略するが、収録ジョブウィンドウ２５には、図５に示したタブ「Ｆｉｌｉｎｇ」以外に、収録する素材のタイトル等を入力する画面を表示させるためのタブも設けられる。
【００４６】
図４において、日付欄２２ａは、どの年月日の収録イベントをイベント表示欄２２ｃに表示させるかをプルダウン方式で選択するための欄である。時間軸２２ｂは、午前０時から午後２４時までの時間が縦方向に直線状に表示される軸であり、一部の時間帯（図では９時前から１２時３０分過ぎまでの時間帯）ずつが表示されるとともに、上下スクロールによって時間帯を変化させることができる。
【００４７】
イベント表示欄２２ｃは、各収録チャンネルｃｈ１〜ｃｈ５についての表示欄を時間軸２２ｃに沿って縦方向に並列して配置したものであり、時間軸２２ｂと一緒に上下スクロールする。各収録チャンネルの名称（ｃｈ１〜ｃｈ５）の下には、それぞれ 図３のルーティングスイッチャウィンドウ２１で接続させた入力ソースの名称も表示される。
【００４８】
日付欄２２ａで今日の日付が選択され、且つ現在の時刻を含む時間帯の時間軸２２ｂが表示されている場合には、イベント表示欄２２ｃには、現在の時刻を示すラインが横方向に表示される。図では、現在の時刻が９時１４分頃である場合のこの現在時刻ライン２２ｅが表示されている。
【００４９】
図２の収録操作ウィンドウ２３は、突発的な収録の必要に対応してマニュアル操作で収録を行うためのＧＵＩ画面である。図６は、この収録操作ウィンドウ２３の表示内容を示す。収録操作ウィンドウ２３には、収録チャンネル選択釦２３ａ，モニター欄２３ｂ，収録開始釦２３ｃ，収録終了釦２３ｄ，ＶＴＲ用釦２３ｅ及びメタデータ入力欄２３ｆが設けられている。
【００５０】
収録チャンネル選択釦２３ａは、収録チャンネルｃｈ１〜ｃｈ５のうち収録を行うチャンネルを選択するための釦である。モニター欄２３ｂは、収録する素材の映像が表示される欄である。
【００５１】
収録開始釦２３ｃ，収録終了釦２３ｄは、それぞれ収録を開始，終了させるための釦である。ＶＴＲ用釦２３ｅは、ＶＴＲを操作するためのウィンドウを開く釦である。
【００５２】
メタデータ入力欄２３ｆは、詳細な図示は省略するが、収録する素材についてタイトルやカテゴリー等のメタデータを入力するための欄である。
【００５３】
図７は、ＶＴＲ用釦２３ｅの操作によって開かれるＶＴＲ操作ウィンドウの表示内容を示す。このＶＴＲ操作ウィンドウ２６には、デバイス名・タイムコード表示欄２６ａ，コントロール釦２６ｂ，キューアップタイムコード入力欄２６ｃ，キューアップ釦２６ｄ及びシャトル／ジョグコントロール部２６ｅが表示される。
【００５４】
デバイス名・タイムコード表示欄２６ａは、操作対象のＶＴＲの名称と現在のタイムコードとが表示される欄である。コントロール釦２６ｂは、ＶＴＲの巻き戻し・再生・停止・早送り操作を行うための釦である。
【００５５】
キューアップタイムコード入力欄２６ｃは、キューアップさせたいタイムコードを入力する欄であり、キューアップ釦２６ｄは、キューアップタイムコード入力欄２６ｃに入力したタイムコードにキューアップさせる釦である。
【００５６】
シャトル／ジョグコントロール部２６ｅは、ＶＴＲのシャトル操作やジョグ操作を行うためのアイコンが設けられた欄である。
【００５７】
管理端末１は、このＶＴＲ操作ウィンドウ２６での操作結果に基づき、ＶＴＲ３（図１）を制御して、ビデオテープから素材を再生させる。
【００５８】
次に、図４に示した収録スケジューラウィンドウ２２のイベント表示欄２２ｃに、収録イベントが表示される様子について説明する。
【００５９】
図５の収録ジョブウィンドウ２５で、収録チャンネルが選択されるとともに、開始予定日時の選択及び収録時間長の入力によって収録開始予定日時と収録終了予定日時とが決定されると、管理端末１は、その決定された日付に対応して、図４のイベント表示欄２２ｃのうちの選択された収録チャンネルの欄に、収録開始予定時刻から収録終了予定時刻までの時間範囲を、時間軸２２ｂに沿って表示させる。
【００６０】
また、管理端末１は、この収録ジョブウィンドウ２５でスケジュールされたいずれかの収録チャンネルについての収録イベントの収録開始予定時刻が到来すると、ビデオサーバー７，８（図１）を制御して、その収録チャンネルに接続されている入力ソースから供給される素材をそれぞれ高解像度，低解像度で記録させる。また、その収録チャンネルにＶＴＲ３（図１）が接続されている場合には、ＶＴＲ３（図１）を制御して、ビデオテープから素材を再生させる。
【００６１】
そして、その収録イベントの収録終了予定時刻が到来すると、ビデオサーバー７，８を制御して記録を終了させる（その収録チャンネルにＶＴＲ３が接続されている場合には、ＶＴＲ３を制御して再生を停止させる）。
【００６２】
図８は、この収録ジョブウィンドウ２５でスケジュールされた収録イベントの表示例を示す。この例では、収録チャンネルｃｈ１についてスケジュールされた２００４年６月１９日の９時３０分から１０時までの収録イベントの時間範囲３１が、時間軸２２ｂに沿って長方形の枠で表示されている。
【００６３】
また、収録チャンネルｃｈ１についてスケジュールされた同じ日付の１１時から１１時３０分までの収録イベントの時間範囲３２と、収録チャンネルｃｈ２についてスケジュールされた同じ日付の９時５０分から１４時までの収録イベントの時間範囲３３と、収録チャンネルｃｈ５についてスケジュールされた同じ日付の１０時３０分から１１時６分までの収録イベントの時間範囲３４とが、同様にして表示されている。
【００６４】
各時間範囲３１〜３４の枠内には、上から順に、収録開始予定時刻・収録終了予定時刻・時間長を示す数字が表示されている。なお、収録ジョブウィンドウ２５で素材のタイトルを入力した場合にはそのタイトルもこの枠内に表示されるが、ここでは図示を省略している。
【００６５】
この時間範囲３１〜３４のように収録ジョブウィンドウ２５でスケジュールされた収録イベントの時間範囲は、長さが固定されており、したがって、一度表示された後は長さが変化することはない。
【００６６】
他方、図９は、突発的な収録の必要に対応した図６の収録操作ウィンドウ２３でのマニュアル操作に基づいて管理端末１内のＣＰＵが実行する収録イベントの表示処理を示すフローチャートである。収録操作ウィンドウ２３で、収録チャンネルが選択されるとともに、収録開始釦２３ｃが操作される（入力ソースがＶＴＲ３の場合には、収録開始釦２３ｃの操作の前に、図７のＶＴＲ操作ウィンドウ２６で再生操作が行われる）と、最初に、図４のイベント表示欄２２ｃのうちの選択された収録チャンネルの欄に、収録開始釦２３ｃが操作された時刻を開始時刻として、現在の時刻までの時間範囲を時間軸２２ｂに沿って表示させる（ステップＳ１）。
【００６７】
続いて、イベント表示欄２２ｃに表示する時間範囲の最小単位（例えば１分）が経過するまで待機し（ステップＳ２）、その後、収録操作ウィンドウ２３で収録終了釦２３ｄが操作されたか否かを判断する（ステップＳ３）。ノーであれば、ステップＳ１に戻ってステップＳ１〜Ｓ３を繰り返す。他方、イエスになると、直前に表示させた時間範囲を長さを固定して表示させ（ステップＳ４）、処理を終了する。
【００６８】
また、管理端末１は、この収録操作ウィンドウ２３での操作に基づき、ビデオサーバー７，８（図１）を制御して、収録開始釦２３ｃが操作されてから収録終了釦２３ｄが操作されるまでの間、選択された収録チャンネルに接続されている入力ソースから供給される素材をそれぞれ高解像度，低解像度で記録させる（その収録チャンネルにＶＴＲ３が接続されている場合には、図７のＶＴＲ操作ウィンドウ２６での操作に基づくＶＴＲ３の制御も行う）。
【００６９】
図１０〜図１２は、この収録操作ウィンドウ２３での操作による突発的な収録イベントの表示例として、図８のスケジュールされた収録イベントの時間範囲３１〜３４が既に表示されている状態で、収録チャンネルｃｈ３が選択され、２００４年６月１９日の１０時に収録開始釦２３ｃが操作されて１１時３分に収録終了釦２３ｄが操作された場合の例を経時的に示す図である。
【００７０】
この例では、１１時３分までは、収録終了釦２３ｄが操作されていないので、図９のステップＳ１〜Ｓ３が繰り返されることにより、イベント表示欄２２ｃのうちの収録チャンネルｃｈ３の欄に、１０時を起点として、突発的な収録イベントの時間範囲が、時間の経過につれて増大するようにして時間軸２２ｂに沿って表示される。
【００７１】
図１０，図１１は、それぞれ１０時２５分，１０時５０分の時点でのこの突発的な収録イベントの時間範囲３５の表示状態を示している。図１０の状態では、１０時を起点として、現在の時刻である１０時２５分（現在時刻ライン２２ｅの位置）まで時間範囲３５が延びており、その長方形の枠内には、上から順に、収録開始時刻・現在の時刻（１０時２５分）・時間長（２５分）を示す数字が表示されている。（メタデータ入力欄２３ｆで素材のタイトルを入力した場合にはそのタイトルもこの枠内に表示されるが、ここでは図示を省略している。）
【００７２】
図１１の状態では、１０時を起点として、現在の時刻である１０時５０分（現在時刻ライン２２ｅの位置）まで時間範囲３５が延びており、その長方形の枠内には、上から順に、収録開始時刻・現在の時刻（１０時５０分）・時間長（５０分）を示す数字が表示されている。
【００７３】
このようにして、１１時３分までは、１０時を起点として、突発的な収録イベントの時間範囲３５が、時間の経過につれて増大するようにして時間軸２２ｂに沿って表示される。そして、１１時３分を経過すると、収録終了釦２３ｄが操作されているので、図９のステップＳ４に進むことにより、１１時３分の時点での時間範囲３５が固定して表示されるようになる。
【００７４】
図１２は、１１時１０分の時点でのこの突発的な収録イベントの時間範囲３５の表示状態を示している。１０時から１１時３分までの時間範囲３５が表示されており、その長方形の枠内には、上から順に、収録開始時刻・収録終了時刻（１１時３分）・時間長（１時間３分）を示す数字が表示されている。
【００７５】
以上に説明したように、この管理端末１では、収録ジョブウィンドウ２５（図５）で収録イベントをスケジュールすると、その収録イベントの開始予定時刻から終了予定時刻までの時間範囲が、図４の収録スケジューラウィンドウ２２のイベント表示欄２２ｃに時間軸２２ｂに沿って表示される。
【００７６】
また、突発的な収録の必要に対応して収録操作ウィンドウ２３で収録開始釦２３ｃを操作すると、その突発的な収録イベントの時間範囲が、その操作時刻を起点として、収録終了釦２３ｄが操作されるまで時間の経過につれて増大するようにして、イベント表示欄２２ｃに時間軸２２ｂに沿って表示される。
【００７７】
したがって、この表示によって突発的な収録イベントの発生を知ることができるとともに、この時間範囲が増大し続けている間（例えば図１０，図１１の状態）はその突発的な収録イベントがまだ継続していると判断することができ、この時間範囲が増大しなくなれば（例えば図１２の状態）その突発的な収録イベントが既に終了したと判断することができる。
【００７８】
また、図１０，図１１に示したように、突発的な収録イベントがまだ継続しているときには現在時刻ライン２２ｅの位置がこの時間範囲の下端と一致しており、他方、図１２にも示したように、突発的な収録イベントが終了した後は現在時刻ライン２２ｅの位置がこの時間範囲の下端から離れていくので、この現在時刻ライン２２ｅの位置によっても、その突発的な収録イベントがまだ継続しているのか既に終了したのかを判断することができる。
【００７９】
このように、予めスケジュールした収録イベントの時間範囲の静的な表示と、突発的な収録イベントの時間範囲の動的な表示とが、同じ画面の同じ時間軸２２ｂに沿って行われる。これにより、予めスケジュールした収録イベントと突発的な収録イベントとの両方を、全てのオペレータ（放送局内で素材の収録に携わる担当者のうち、実際にその突発的な収録を開始した担当者と、それ以外の担当者）が容易に視覚的に把握できるようになる。
【００８０】
したがって、突発的な収録が開始された後、別の担当者が、その収録が終了するよりも前の時刻を開始予定時刻として別の素材の収録をスケジュールしてしまう（突発的な素材の収録が別の素材の収録によって中断されてしまう）ような事態を防止することができる。
【００８１】
また、複数の収録チャンネルｃｈ１〜ｃｈ５について、予めスケジュールした収録イベントの時間範囲の静的な表示と、突発的な収録イベントの時間範囲の動的な表示とが、同じ画面の同じ時間軸２２ｂに沿って行われる。したがって、或る収録チャンネルで突発的な収録が開始してまだ継続している場合に、容易に、その収録チャンネルを避けて別の収録チャンネルのほうで収録イベントをスケジュールすることができる。これにより、突発的な収録イベントとの調整を容易にとりながら、収録イベントをスケジュールすることができる。
【００８２】
なお、以上の例では、収録スケジューラウィンドウ２２に時間軸２２ｂが縦方向に直線状に表示され、この時間軸２２ｂに沿って収録イベントの時間範囲が縦方向に表示されるようにしている。しかし、これに限らず、時間軸を横方向に直線状に表示し、その時間軸に沿って収録イベントの時間範囲が横方向に表示されるようにしてもよい。あるいはまた、時間軸を円周方向に（時計の文字盤のように）表示し、その時間軸に沿って収録イベントの時間範囲が円周方向に表示されるようにしてもよい。
【００８３】
また、以上の例では、ソフトウェアをインストールしたコンピュータで管理端末１を構成しているが、これに限らず、専用のハードウェア機器で管理端末１を構成してもよい。
【００８４】
また、以上の例ではテレビジョン放送局における収録・編集・送出システムに本発明を適用しているが、それ以外のデータ収録システムに本発明を適用してもよい。さらには、データの収録以外のイベントを管理するために（例えば、複数の会議室を有する施設や、多数の客室を有する宿泊施設等において、各部屋の使用予約スケジュールと、突発的な使用との両方を把握するために）本発明を適用してもよい。
【図面の簡単な説明】
【００８５】
【図１】本発明を適用した収録・編集・送出システムの全体構成を示すブロック図である。
【図２】図１の管理端末に表示される収録用ＧＵＩ画面の構成を示す図である。
【図３】図２のルーティングスイッチャウィンドウの表示内容を示す図である。
【図４】図２の収録スケジューラウィンドウの表示内容を示す図である。
【図５】収録ジョブウィンドウの表示内容を示す図である。
【図６】図２の収録操作ウィンドウの表示内容を示す図である。
【図７】ＶＴＲ操作ウィンドウの表示内容を示す図である。
【図８】収録スケジューラウィンドウへのスケジュールされた収録イベントの表示例を示す図である。
【図９】収録操作ウィンドウでのマニュアル操作による収録イベントの表示処理を示すフローチャートである。
【図１０】収録スケジューラウィンドウへのマニュアル操作による収録イベントの表示例を示す図である。
【図１１】収録スケジューラウィンドウへのマニュアル操作による収録イベントの表示例を示す図である。
【図１２】収録スケジューラウィンドウへのマニュアル操作による収録イベントの表示例を示す図である。
【符号の説明】
【００８６】
１  管理端末、  ２  データベース、  ３  ＶＴＲ、  ４  ルーティングスイッチャ、  ７，８  ビデオサーバー、  ２１  ルーティングスイッチャウィンドウ、  ２２  収録スケジューラウィンドウ、  ２２ａ  日付欄、  ２２ｂ  時間軸、  ２２ｃ  イベント表示欄、  ２２ｅ  現在時刻ライン  ２３  収録操作ウィンドウ、  ２３ａ  収録チャンネル選択釦、  ２３ｂ  モニター欄、  ２３ｃ  収録開始釦、  ２３ｄ  収録終了釦、  ２３ｅ  ＶＴＲ用釦、  ２５  収録ジョブウィンドウ、  ２６  ＶＴＲ操作ウィンドウ、  ３１〜３４  スケジュールされた収録イベントの時間範囲、  ３５  マニュアル操作で開始した収録イベントの時間範囲
【図１】
2006074287.tif 000003
【図２】
2006074287.tif 000004
【図３】
2006074287.tif 000005
【図４】
2006074287.tif 000006
【図５】
2006074287.tif 000007
【図６】
2006074287.tif 000008
【図７】
2006074287.tif 000009
【図８】
2006074287.tif 000010
【図９】
2006074287.tif 000011
【図１０】
2006074287.tif 000012
【図１１】
2006074287.tif 000013
【図１２】
2006074287.tif 000014